(57)【要約】【課題】２個のＬＥＤで複数通りの汚れ表示することを目的とした空気清浄機を提供する。【解決手段】空気を吸い込む吸気口２と、吸い込んだ空気を清浄するフィルター３と、フィルター３に通風する送風手段と、空気を吹き出す排気口５と、空気中の汚れ成分を検知するほこりセンサ６と、検知結果から空気の汚れ度合いを複数段階に判定する判定手段と、空気の汚れ度合いを表示するために、空気が清浄であることを表す青色ＬＥＤ８を１個と、空気が汚れていることを表す赤色ＬＥＤ９を１個備えた空気清浄機において、ほこりセンサ６の検知結果から空気中の汚れ度合いを各汚れ段階に応じて青色ＬＥＤ８と赤色ＬＥＤ９のデューティー比を変化させ、青色ＬＥＤ８・赤色ＬＥＤ９の輝度に強弱をつけることで、２個のＬＥＤで複数通りの汚れ度合いを表示できることを特徴とする空気清浄機。【選択図】図１
2012102899.tif 000002
【特許請求の範囲】
【請求項１】
空気を吸い込む吸気口と、吸い込んだ空気を清浄する清浄手段と、清浄手段に通風する送風手段と、空気を吹き出す排気口と、空気中の汚れ成分を検知するセンサと、検知結果から空気の汚れ度合いを複数段階に判定する判定手段と、空気の汚れ度合いを表示するために、空気が清浄であることを表す青色ＬＥＤを１個と、空気が汚れていることを表す赤色ＬＥＤを１個備えた空気清浄機において、センサの検知結果から空気中の汚れ度合いを各汚れ段階に応じて前記青色ＬＥＤと前記赤色ＬＥＤのデューティー比を変化させ、前記青ＬＥＤ・赤ＬＥＤの輝度に強弱をつけることで、２個のＬＥＤで複数通りの汚れ度合いを表示できることを特徴とする空気清浄機。
【請求項２】
デューティー比の変化は、前記赤色ＬＥＤのデューティー比と、前記青色ＬＥＤのデューティー比は反比例であることを特徴とした、請求項１に記載の空気清浄機。
【請求項３】
前記センサの検知結果から汚れ度合いが上がる時は、前記赤色ＬＥＤのデューティー比の変化率が、前記青色ＬＥＤの変化率より大きいことを特徴とした、請求項１に記載の空気清浄機。
【請求項４】
前記センサの検知結果から汚れ度合いが下がる時は、前記青ＬＥＤのデューティー比の変化率が、前記赤色ＬＥＤの変化率より大きいことを特徴とした、請求項１に記載の空気清浄機。
【請求項５】
前記センサが汚れを検知すると、前記青ＬＥＤを消灯させ、前記赤色ＬＥＤだけデューティー比を各汚れ度合いに応じて変化させることを特徴とした、請求項１から請求項４のいずれか一つに記載の空気清浄機。
【請求項６】
汚れ度合いが最大の状態から、汚れ度合いが低下すると、前記赤ＬＥＤを消灯させ、前記青色ＬＥＤだけデューティー比を各汚れ度合いに応じて変化させることを特徴とした、請求項１から請求項４のいずれか一つに記載の空気清浄機。
【請求項７】
デューティー比は１段階ずつ変化させ、また次の段階までの変化に、ある一定時間必要とすることを特徴とした、請求項１に記載の空気清浄機。
【請求項８】
デューティー比の変化を設定する設定ボタンを設け、使用者が必要に応じたデューティー比の変化を選択できることを特徴とした、請求項１に記載の空気清浄機。
【発明の詳細な説明】
【技術分野】
【０００１】
本発明は、室内空間に浮遊する埃や煙草などの汚染物質を含んだ汚染空気を吸い込んで清浄し、室内に吹きだす機能を備えた空気洗浄機に関するものである。
【背景技術】
【０００２】
従来、この種の空気洗浄機は下記に記載されたものが知られている。
【０００３】
以下、その空気洗浄機について図を参照しながら説明する。
【０００４】
図６に示すように空気清浄機１０１には空気を吸い込む吸気口１０２と、空気を清浄するフィルター１０３と、フィルター１０３に通風するファン１０４と、清浄した空気を吹き出す排気口１０５と、空気中の汚れを検知するセンサ１０６を備え、検知結果に応じて汚れ度合いを判定し、表示部１０７に表示している。（例えば、特許文献１参照）。
【先行技術文献】
【特許文献】
【０００５】
【特許文献１】特開２０００−２８３５３３号公報
【発明の概要】
【発明が解決しようとする課題】
【０００６】
このような従来の空気洗浄機では、汚れ度合いを複数段階設けると、３個のＬＥＤで表示するため、点灯・点滅・消灯の組み合わせで表示する必要があった。そのため、少ない個数のＬＥＤで複数段階の汚れ度合いをより簡潔に、そして視覚的に認識できることが要求されている。
【０００７】
そこで本発明は、このような従来の課題を解決するものであり、汚れ度合いに応じてＬＥＤのデューティー比を変化させることで、各ＬＥＤの輝度に強弱をつけることで２個数のＬＥＤで複数段階を表示させることを特徴としている。
【課題を解決するための手段】
【０００８】
そして、この目的を達成するために、本発明の空気洗浄機は、空気を吸い込む吸気口と、吸い込んだ空気を清浄する清浄手段と、清浄手段に通風する送風手段と、空気を吹き出す排気口と、空気中の汚れ成分を検知するセンサと、検知結果から空気の汚れ度合いを複数段階に判定する判定手段と、空気の汚れ度合いを表示するために、空気が清浄であることを表す青色ＬＥＤを１個と、空気が汚れていることを表す赤色ＬＥＤを１個備えた空気清浄機において、センサの検知結果から空気中の汚れ度合いを各汚れ段階に応じて前記青色ＬＥＤと前記赤色ＬＥＤのデューティー比を変化させ、前記青色ＬＥＤ・赤色ＬＥＤの輝度に強弱をつけることで、２個のＬＥＤで複数通りの汚れ度合いを表示するものであり、これにより所期の目的を達成するものである。
【０００９】
この手段により、２個ＬＥＤで複数段階の汚れ度合いを表示し、使用者が簡単に視覚で認識できる空気洗浄機が得られる。
【００１０】
また、本発明の空気清浄機は、デューティー比の変化は、前記赤色ＬＥＤのデューティー比と、前記青色ＬＥＤのデューティー比は反比例するものである。
【００１１】
この手段により、２個ＬＥＤで複数段階の汚れ度合いを表示し、使用者が簡単に視覚で認識できる空気洗浄機が得られる。
【００１２】
また、本発明の空気清浄機は、前記センサの検知結果から汚れ度合いが上がる時は、前記赤色ＬＥＤのデューティー比の変化率が、前記青色ＬＥＤの変化率より大きくなるものである。
【００１３】
この手段により、２個ＬＥＤで複数段階の汚れ度合いを表示し、使用者が簡単に視覚で認識できる空気洗浄機が得られる。
【００１４】
また、本発明の空気清浄機は、前記センサの検知結果から汚れ度合いが下がる時は、前記青色ＬＥＤのデューティー比の変化率が、前記赤色ＬＥＤの変化率より大きくなるものである。
【００１５】
この手段により、２個ＬＥＤで複数段階の汚れ度合いを表示し、使用者が簡単に視覚で認識できる空気洗浄機が得られる。
【００１６】
また、本発明の空気清浄機は、前記センサが汚れを検知すると、前記青色ＬＥＤを消灯させ、前記赤色ＬＥＤだけデューティー比を各汚れ度合いに応じて変化するものである。
【００１７】
この手段により、２個ＬＥＤで複数段階の汚れ度合いを表示し、使用者が簡単に視覚で認識できる空気洗浄機が得られる。
【００１８】
また、本発明の空気清浄機は、汚れ度合いが最大の状態から、汚れ度合いが低下すると、前記赤色ＬＥＤを消灯させ、前記青色ＬＥＤだけデューティー比を各汚れ度合いに応じて変化するものである。
【００１９】
この手段により、２個ＬＥＤで複数段階の汚れ度合いを表示し、使用者が簡単に視覚で認識できる空気洗浄機が得られる。
【００２０】
また、本発明の空気清浄機は、デューティー比は１段階ずつ変化させ、また次の段階までの変化に、ある一定時間必要とするものである。
【００２１】
この手段により、２個ＬＥＤで複数段階の汚れ度合いを表示し、使用者が簡単に視覚で認識できる空気洗浄機が得られる。
【００２２】
また、本発明の空気清浄機は、デューティー比の変化を設定する設定ボタンを設け、使用者が必要に応じたデューティー比の変化を選択できるものである。
【００２３】
この手段により、２個ＬＥＤで複数段階の汚れ度合いを表示し、使用者の生活環境に適した汚れ表示ができる空気洗浄機が得られる。
【発明の効果】
【００２４】
本発明によれば、空気を吸い込む吸気口と、吸い込んだ空気を清浄する清浄手段と、清浄手段に通風する送風手段と、空気を吹き出す排気口と、空気中の汚れ成分を検知するセンサと、検知結果から空気の汚れ度合いを複数段階以上に判定する判定手段と、空気の汚れ度合いを表示するために、空気が清浄であることを表す青色ＬＥＤを１個と、空気が汚れていることを表す赤色ＬＥＤを１個備えた空気清浄機において、センサの検知結果から空気中の汚れ度合いを各汚れ段階に応じて前記青色ＬＥＤと前記赤色ＬＥＤのデューティー比を変化させ、前記青色ＬＥＤ・赤色ＬＥＤの輝度に強弱をつけることで、２個のＬＥＤで複数通りの汚れ度合いを表示し、使用者が簡単に視覚で認識できる空気洗浄機が得られる。
【図面の簡単な説明】
【００２５】
【図１】本発明の実施の形態１の空気清浄機の斜影図
【図２】同発明の実施の形態１の青色ＬＥＤの各段階でのデューティー比を示す図
【図３】同実施の形態１の赤色ＬＥＤの各段階でのデューティー比を示す図
【図４】同発明の実施の形態２の輝度の違いによる組み合わせを示す図
【図５】同実施の形態２の青色ＬＥＤ・赤色ＬＥＤの反比例関係のデューティー比を示す図
【図６】従来の空気清浄機の構成を示す斜影図
【発明を実施するための形態】
【００２６】
本発明の請求項１記載の空気清浄機は、空気を吸い込む吸気口と、吸い込んだ空気を清浄する清浄手段と、清浄手段に通風する送風手段と、空気を吹き出す排気口と、空気中の汚れ成分を検知するセンサと、検知結果から空気の汚れ度合いを複数段階以上に判定する判定手段と、空気の汚れ度合いを表示するために、空気が清浄であることを表す青色ＬＥＤを１個と、空気が汚れていることを表す赤色ＬＥＤを１個備えた空気清浄機において、センサの検知結果から空気中の汚れ度合いを各汚れ段階に応じて前記青色ＬＥＤと前記赤色ＬＥＤのデューティー比を変化させ、前記青色ＬＥＤ・赤色ＬＥＤの輝度に強弱をつけることで、２個のＬＥＤで複数通り以上の汚れ度合いを表示し使用者が簡単に視覚で認識できるという作用を有する。
【００２７】
また、請求項２記載の空気清浄機は、デューティー比の変化は、前記赤色ＬＥＤのデューティー比と、前記青色ＬＥＤのデューティー比は反比例させることで、２個のＬＥＤで複数通り以上の汚れ度合いを表示し使用者が簡単に視覚で認識できるという作用を有する。
【００２８】
また、請求項３記載の空気清浄機は、前記センサの検知結果から汚れ度合いが上がる時は、前記赤色ＬＥＤのデューティー比の変化率が、前記青色ＬＥＤの変化率より大きくさせることで、２個のＬＥＤで複数通り以上の汚れ度合いを表示し使用者が簡単に視覚で認識できるという作用を有する。
【００２９】
また、請求項４記載の空気清浄機は、前記センサの検知結果から汚れ度合いが下がる時は、前記青色ＬＥＤのデューティー比の変化率が、前記赤色ＬＥＤの変化率より大きくさせることで、２個のＬＥＤで複数通り以上の汚れ度合いを表示し使用者が簡単に視覚で認識できるという作用を有する。
【００３０】
また、請求項５記載の空気清浄機は、前記センサが汚れを検知すると、前記青色ＬＥＤを消灯させ、前記赤色ＬＥＤだけデューティー比を各汚れ度合いに応じて変化させることで、２個のＬＥＤで複数通り以上の汚れ度合いを表示し使用者が簡単に視覚で認識できるという作用を有する。
【００３１】
また、請求項６記載の空気清浄機は、汚れ度合いが最大の状態から、汚れ度合いが低下すると、前記赤色ＬＥＤを消灯させ、前記青色ＬＥＤだけデューティー比を各汚れ度合いに応じて変化させることで、２個のＬＥＤで複数通り以上の汚れ度合いを表示し使用者が簡単に視覚で認識できるという作用を有する。
【００３２】
また、請求項７記載の空気清浄機は、デューティー比は１段階ずつ変化させ、また次の段階までの変化に、ある一定時間必要とすることで、２個のＬＥＤで複数通り以上の汚れ度合いを表示し使用者が簡単に視覚で認識できるという作用を有する。
【００３３】
また、請求項８記載の空気清浄機は、デューティー比の変化を設定する設定ボタンを設け、使用者が必要に応じたデューティー比の変化を選択できることで、２個ＬＥＤで複数段階の汚れ度合いを表示し、使用者の生活環境に適した汚れ表示ができるという作用を有する。
【００３４】
（実施の形態１）
図１に本発明の実施の形態における空気清浄機の構成を示す斜影図を示す。空気清浄機本体１に室内の空気を吸い込む吸気口２と、吸い込んだ空気を清浄するフィルター３と、フィルター３に通風するファン４と、空気を吹き出す排気口５と、空気中の汚れ、つまり塵等の粒子の数を検知するほこりセンサ６と、ほこりセンサ６の検知結果より空気の汚れ度合いを判定するマイコン７と、空気が清浄な状態を表示する青色ＬＥＤ８と、空気が汚れていることを表示する赤色ＬＥＤ９と、青色ＬＥＤ８と赤色ＬＥＤ９を表示する表示部１０と、デューティー比切り替えスイッチ１１を設け構成する。ここでは空気が清浄な状態では青色ＬＥＤ８が点灯し、赤色ＬＥＤ９は消灯しており、ほこりセンサ６が汚れを検知すると赤色ＬＥＤ９は点灯する。
【００３５】
ほこりセンサ６にて空気中の汚れを検知すると、マイコン７にて汚れ度合いを判定する。
【００３６】
ここでは、ほこりセンサ６は汚れを検知するとパルス信号を出力するセンサである。マイコン７は汚れ度合いの段階を複数段階と各段階に閾値を設けパルス信号の個数と時間幅から汚れ段階を判定する。また、センサの信号がアナログ信号の場合は、一定時間の変化量、例えば、２秒毎のアナログ信号の平均値をとり、前回の平均値からの変化量で汚れの段階を判定してもよい。
【００３７】
ここでは判定を５段回とし、空気が清浄な状態を０段階、最も汚れている状態を４段回とし、青色ＬＥＤ８と赤色ＬＥＤ９はマイコン７からＨｉ信号を受けると点灯する回路構成とする。また、青色ＬＥＤ８と赤色ＬＥＤ９は各自汚れ段階に応じたデューティー比を設けており、汚れ段階に応じてマイコン７にて制御される。図２に青色ＬＥＤ８の格段階でのデューティー比、図３に赤色ＬＥＤ９の格段階でのデューティー比を示す。ここでは１周期を２０ｍｓとしＨｉ信号を５Ｖとし、ＯＮ時間を制御している。空気が清浄な状態、つまり汚れ０段階ではマイコン７から青色ＬＥＤ８にデューティー比１００％のＨｉ信号を出力し、赤色ＬＥＤ９にはデューティー比０％のＨｉ信号を出力する。ほこりセンサ６にて汚れを検知すると汚れ段階に応じて赤色ＬＥＤ９のデューティー比を変化させる。ここでは汚れ段階が０段階はデューティー比０％、１段階はデューティー比２０％、２段階はデューティー比４０％、３段階はデューティー比７０％、４段階はデューティー比１００％とすると、検知した汚れ度合いが３段回であれば、マイコン７からデューティー比７０％のＨｉ信号を出力し赤色ＬＥＤ９を点灯させる。この時、同様に青色ＬＥＤ８も段階に応じてデューティー比を変化させる。ここでは汚れ段階が０段階はデューティー比１００％、１段階はデューティー比８０％、２段階はデューティー比５０％、３段階はデューティー比３０％、４段階はデューティー比０％とすると、検知した汚れ度合いが３段回であれば、マイコン７からデューティー比３０％のＨｉ信号を出力し赤色ＬＥＤ９を点灯させる。
【００３８】
図４に青色ＬＥＤ８・赤色ＬＥＤ９の各段階による輝度を示す。輝度が変化することで、視覚によって確認できる大きさが変化するため、複数通りの組み合わせが可能になる。
【００３９】
このように、汚れの度合いに応じて青色ＬＥＤ８、赤色ＬＥＤ９のデューティー比を変化させることで、２個のＬＥＤで５通りの汚れ度合い表示をすることができる。
【００４０】
また、汚れ度合いが高くなるにつれて赤色ＬＥＤ９の輝度が徐々に高くなり、青色ＬＥＤ８の輝度が徐々に低くなるため、使用者が汚れ度合いの変化を簡単に視覚で認識することができる。
【００４１】
ここでは塵等の粒子径を検知するほこりセンサ６を使用しているが、空気中の汚れが検知できるもので、還元材料使用し空気中の成分変化を検知するガスセンサ等でもよい。
【００４２】
また、マイコン７にて青色ＬＥＤ８、赤色ＬＥＤ９のデューティー比率を数パターン設けており、使用者がデューティー比切り替えスイッチ１１にて選択できることを特徴としている。例えば、上記のデューティー比の設定を明るめ設定として、もう１通り暗め設定として、青色ＬＥＤ８のデューティー比を０段階はデューティー比５０％、１段階はデューティー比３０％、２段階はデューティー比２０％、３段階はデューティー比１０％、４段階はデューティー比０％、赤色ＬＥＤのデューティー比を０段階はデューティー比０％、１段階はデューティー比２０％、２段階はデューティー比３０％、３段階はデューティー比４０％、４段階はデューティー比５０％を設ける。このように、使用者が輝度を選択でき、生活環境に適した使用ができる。
【００４３】
（実施の形態２）
本実施の形態は前記実施の形態１と制御方法が異なるのみであり、同一構成のものは同一番号を付して詳しい説明は省略する。
【００４４】
ここでは、青色ＬＥＤ８と赤色ＬＥＤ９のデューティー比の変化が反比例の関係にあることを特徴とする。図５に、青色ＬＥＤ８のデューティー比を汚れ段階が０段階はデューティー比１００％、１段階はデューティー比７０％、２段階はデューティー比５０％、３段階はデューティー比３０％、４段階はデューティー比０％とすると、赤色ＬＥＤ９のデューティー比を０段階はデューティー比０％、１段階はデューティー比３０％、２段階はデューティー比５０％、３段階はデューティー比７０％、４段階はデューティー比１００％とする。このように制御することで、２個のＬＥＤで５通りの汚れ度合い表示をすることができ、使用者が汚れ度合いの変化を簡単に視覚で認識することができる。
【００４５】
（実施の形態３）
本実施の形態は前記実施の形態１と制御方法が同一であり、同一構成のものは同一番号を付して詳しい説明は省略する。
【００４６】
ほこりセンサ６にて汚れを検知し、空気が清浄な状態から汚れている状態になる時、つまり０段階から１段階に変化する時は、赤色ＬＥＤ９のデューティー比変化量が青色ＬＥＤ８の０段階から１段階へのデューティー比変化量より大きいことを特徴とする。例えば、青色ＬＥＤ８のデューティー比を汚れ段階が０段階はデューティー比１００％、１段階はデューティー比８０％とすると、赤色ＬＥＤ９のデューティー比を０段階はデューティー比０％、１段階はデューティー比５０％とする。このように、青色ＬＥＤ８のデューティー比変化率は２０％に対して赤色ＬＥＤ９のデューティー比変化率は５０％とし、輝度の変化量を変えることで、汚れ増加方向を示す赤色ＬＥＤ９の輝度の変化が視覚的に認識しやすくなり、使用者が汚れ始めたことを認識しやすくなる。
【００４７】
（実施の形態４）
本実施の形態は前記実施の形態１と制御方法が同一であり、同一構成のものは同一番号を付して詳しい説明は省略する。
【００４８】
汚れ度合いが最大段階から１段階下がる時は、つまり４段階から３段回に変化する時は、青色ＬＥＤ８のデューティー比変化量が赤色ＬＥＤ９のデューティー比変化量より大きいことを特徴とする。例えば、青色ＬＥＤ８のデューティー比を３段階はデューティー比５０％、４段階はデューティー比０％とすると、赤色ＬＥＤ９のデューティー比を３段階はデューティー比８０％、４段階はデューティー比１００％とする。このように、赤色ＬＥＤ９のデューティー比変化率は２０％に対して青色ＬＥＤ８のデューティー比変化率は５０％にし、輝度の変化量を変えることで、清浄方向を示す青色ＬＥＤ８の輝度の変化が視覚的に認識しやすくなり、使用者が清浄し始めたことを認識しやすくなる。
【００４９】
（実施の形態５）
本実施の形態は前記実施の形態１と制御方法が同一であり、同一構成のものは同一番号を付して詳しい説明は省略する。
【００５０】
空気が清浄な状態、つまり０段階からほこりセンサ６が汚れを検知して赤色ＬＥＤ９のデューティー比を変化させる時に、青色ＬＥＤ８は消灯し、赤色ＬＥＤ９だけデューティー比を変化させる。これにより使用者が汚れ度合いの変化を簡単に視覚で認識することができる。
【００５１】
また、汚れ度合いが最も高い状態、つまり４段階からほこりセンサが汚れを検知しなくなり３段階に変化する時に、赤色ＬＥＤ９を消灯させ、青色ＬＥＤ８だけデューティー比を変化させてもよい。これにより使用者が汚れ度合いの変化を簡単に視覚で認識することができる。
【００５２】
（実施の形態６）
本実施の形態は前記実施の形態１と制御方法が同一であり、同一構成のものは同一番号を付して詳しい説明は省略する。
【００５３】
汚れ度合いの変化は１段階ずつ変化させ、また次の段階に変化するまでにある一定時間必要とする。例えば、変化するまでの一定時間を２秒とすると、０段階でほこりセンサ６が汚れを検知し、その結果がマイコン７にて４段階の判定とすると、青色ＬＥＤ８と赤色ＬＥＤ９のデューティー比を０段階から４段階に変更するのではなく、０段階、１段階、２段階、３段階、４段階と変更させる。また、１段階から２段階に変更する時は、１段階を２秒間表示し、２段階へ移行する。同様に、各段階でも２秒間表示し、次の段階に移行する。これにより使用者が汚れ度合いの変化を簡単に視覚で認識することができる。
【産業上の利用可能性】
【００５４】
本発明は、空気を吸い込む吸気口と、吸い込んだ空気を清浄する清浄手段と、清浄手段に通風する送風手段と、空気を吹き出す排気口と、空気中の汚れ成分を検知するセンサと、検知結果から空気の汚れ度合いを複数段階以上に判定する判定手段と、空気の汚れ度合いを表示するために、空気が清浄であることを表す青色ＬＥＤを１個と、空気が汚れていることを表す赤色ＬＥＤを１個備えた空気清浄機において、センサの検知結果から空気中の汚れ度合いを各汚れ段階に応じて前記青色ＬＥＤと前記赤色ＬＥＤのデューティー比を変化させ、前記青色ＬＥＤ・赤色ＬＥＤの輝度に強弱をつけることで、２個のＬＥＤで複数通り以上の汚れ度合いを表示し使用者が簡単に視覚で認識できるもので、室内空間に浮遊する埃や煙草などの汚染物質を含んだ汚染空気を吸い込んで清浄し、室内に吹きだす機能を備えた空気洗浄機に関して有用である。
【符号の説明】
【００５５】
１      空気清浄機本体
２      吸気口
３      フィルター
４      ファン
５      排気口
６      ほこりセンサ
７      マイコン
８      青色ＬＥＤ
９      赤色ＬＥＤ
１０    表示部
１１    スイッチ
１０１  空気清浄機
１０２  吸気口
１０３  フィルター
１０４  ファン
１０５  排気口
１０６  センサ
１０７  表示部
【図１】
2012102899.tif 000003
【図２】
2012102899.tif 000004
【図３】
2012102899.tif 000005
【図４】
2012102899.tif 000006
【図５】
2012102899.tif 000007
【図６】
2012102899.tif 000008